(57)【要約】      （修正有）【課題】軽く、遮音効果の高い間仕切り部材を提供する。【解決手段】窓と、間仕切り壁との隙間を塞ぐための間仕切り部材１であって、直方体の本体２と、本体２の少なくとも１つの側面に配置されたスポンンジ状ゴムからなる目隠し部材３と、本体２の下部に配置されている上下方向に伸縮可能な伸縮部とを備える。【選択図】図１
2017075462.tif 000002
【特許請求の範囲】
【請求項１】
窓と、間仕切り壁との隙間を塞ぐための間仕切り部材であって、
直方体の本体と、
前記本体の少なくとも１つの側面に配置されたスポンンジ状ゴムからなる目隠し部材と、
前記本体の下部に配置されている上下方向に伸縮可能な伸縮部とを備える、間仕切り部材。
【請求項２】
目隠し部材がスポンジ状エチレンプロピレンゴムである、請求項１に記載の間仕切り部材。
【請求項３】
前記伸縮部が、ネジ式で上下に可動し、前記間仕切り部材の長手方向の長さを変えることができるような構成になっている、請求項１又は２に記載の間仕切り部材。
【請求項４】
前記本体の上部に、前記本体を支えるためのＬ字型支持部をさらに備える、請求項１乃至３のいずれか一項に記載の間仕切り部材。
【発明の詳細な説明】
【技術分野】
【０００１】
本発明は、室内空間を間仕切り壁により仕切る際に使用する間仕切り部材に関する。
【背景技術】
【０００２】
従来から部屋を適当なスペースに仕切るため間仕切り壁が使われているが、近年では、住宅プランとして、間仕切り壁の位置をフリーにして、住居者の好みに応じて、間仕切り壁を移動できるような住宅も見受けられるようになった。
【０００３】
しかし、間仕切り壁の端面が、窓の部分に配置してしまうと、窓ガラスと間仕切り壁との間にスペースができてしまうため、窓枠の空間から間仕切り壁で仕切られた反対側の空間をのぞき込むことができ、その上、騒音がその空間から漏れてしまう。
【０００４】
このような隙間を塞ぐために、特許文献１では、ガラス面と、ガラス面に対向する間仕切り壁の端面との間に、ガラス面に弾接する撓み変形可能な遮音部材を介在させる、窓取合壁構造が開示されている。しかしながら、この遮音部材は、窓枠の下部にねじ止めで設置されるものであり、取り外しが容易でない上、弾性体が通常のシリコーンゴムであり、重いため持ち運びが不便である。
【先行技術文献】
【特許文献】
【０００５】
【特許文献１】特表２００３−１１９９３８号公報
【発明の概要】
【発明が解決しようとする課題】
【０００６】
本発明は、設置が容易で遮音に効果的な間仕切り部材を提供することを目的とする。
【課題を解決するための手段】
【０００７】
本発明者は、鋭意研究を重ねた結果、本発明に到達した。すなわち、本発明は、窓と、間仕切り壁との隙間を塞ぐための間仕切り部材であって、直方体の本体と、前記本体の少なくとも１つの側面に配置されたスポンンジ状ゴムからなる目隠し部材と、前記本体の下部に配置されている上下方向に伸縮可能な伸縮部とを備える、間仕切り部材に関する。
【発明の効果】
【０００８】
本発明の間仕切り部材は、窓の高さ方向の長さに合わせて、上下方向（長手方向）の長さを変えることができるため、様々な窓の大きさの部屋に設置することがでる。しかも、目隠し部材として、スポンジ状ゴムを使用しているため、比重が軽いため持ち運びしやすい。したがって、間仕切り壁を移動し、間仕切り部材を再度設置するような場合でも、容易に取り付けることができる。
【図面の簡単な説明】
【０００９】
【図１】図１は、本発明の態様の１つである間仕切り部材を示す斜視図である。
【図２】図２は、間仕切り部材を設置したときの設置図である。
【図３】図３は、間仕切り部材の上面図である。
【図４Ａ】図４Ａ，Ｂ，Ｃは、間仕切り部材に、伸縮部材を可動させている状態を示す図である。
【図４Ｂ】図４Ａ，Ｂ，Ｃは、間仕切り部材に、伸縮部材を可動させている状態を示す図である。
【図４Ｃ】図４Ａ，Ｂ，Ｃは、間仕切り部材に、伸縮部材を可動させている状態を示す図である。
【図５】図５は、Ｌ字型支持体７を備えた間仕切り部材１である。
【発明を実施するための形態】
【００１０】
本発明を、実施例を用いて詳細に説明する。なお、本発明は、実施例に限定されるものではない。
【実施例】
【００１１】
図１で示す本発明の間仕切り部材１は、直方体の本体２と、前記本体の側面に配置された２つの目隠し部材３，３とを備える。図１では、スカート４があるため、図示していないが、スカート４の内側には、前記本体２の下部に配置されている上下方向に伸縮可能な伸縮部５が配置されている。間仕切り部材１は、図２に示すように、間仕切り部材１は、窓ガラスＧと、間仕切り壁Ｗとの間の隙間を塞ぐものである。
【００１２】
間仕切り部材１の構成要素の１つである直方体の本体２は、中空の直方体（四角柱）であり、サッシで構成されている。自重を支える強度を備えていればよい。本体２の長手方向の長さは、窓枠の高さよりも若干短いことが好ましい。後述する伸縮部４を伸ばすことで、間仕切り部材１の全体の長さを窓枠の高さと実質的に同じ長さに調整できればよい。
【００１３】
間仕切り部材１の構成要素である目隠し部材３，３は、間仕切り部材１を窓ガラスＧと間仕切り壁Ｗとの間に設置した場合、本体２の窓ガラスＧ側の側面及び、間仕切り壁Ｗ側の側面の両方に備えられる。
【００１４】
目隠し部材３，３の長手方向の長さは、本体２の長手方向と同じ長さ又は少し長い方が好ましい。
【００１５】
目隠し部材３，３は、２つの目隠し部材３，３の厚さ（図１中のＸ及びＹ）と、本体２の厚さＺとの合計（Ｘ＋Ｙ＋Ｚ）は、窓ガラスＧから間仕切り壁Ｗまでの距離と等しいか、又はその距離より若干短くなるように調整する。
【００１６】
目隠し部材３，３の素材は、スポンンジ状ゴムである。スポンジ状ゴムにすることにより、高い復元性を有し、軽量であり、目隠しの効果がある。また、スポンジ状ゴムにすることにより、窓ガラスＧが風により大きくたわみ、間仕切り部材１と窓ガラスＧとがこすれるようなことがあっても、窓ガラスＧを傷づけることはない。
【００１７】
目隠し部材３，３の素材は、スポンンジ状ゴムである。スポンジ状ゴムは、素材がゴム製であって、スポンジ状の弾力性を有する発泡体である。スポンジ状ゴムは、高い弾力性を有し、かつ、断熱性を有する。ゴムとしては、特に限定されるものではないが、ニトリルゴム（ＮＢＲ）、クロロプレンゴム（ＣＲ）、エチレンプロピレンゴム（ＥＰＤＭ）、シリコーンゴム（Ｓｉ）、ブチルゴム（ＩＩＲ）、スチレンゴム（ＳＢＲ）、ウレタンゴム（Ｕ）、ハイパロン（ＣＳＭ）、フッ素ゴム（ＦＫＭ）などが挙げられる。なかでも、耐候性、物理的強度及び化学的強度のバランスを考慮すると、スポンジ状ＥＰＤＭが好ましい。例えば、株式会社東洋クオリティワン製のルシーラ（ＥＰＤＭ合成ゴム発泡体）などが使用できる。
【００１８】
スポンジ状ゴム、特にスポンジ状ゴムは、一般的に、圧縮して自動車、家電、建材等の隙間埋めに使用される。しかし、本発明の間仕切り部材１には、圧縮しないスポンジ状ゴムを使用する。圧縮しないことにより、気密性・止水性はやや低下するものの、弾力性が極めて高くなり、また、単位体積当たりの重量も軽くなる。したがって、強風などで窓ガラスＧがたわむようなことがあっても、目隠し部材３，３は窓ガラスＧを傷つけることがなく、しかも、間仕切り壁Ｗを移動させる場合があっても、間仕切り部材１も容易に動かすことができる。スポンジ状ＥＰＤＭは、スポンジ状ゴムの中でも、比較的気密性があり、物理的強度及び化学的強度のバランスに優れている。
【００１９】
スポンジ状ゴムは、好ましくは、見掛け密度は、５０〜１５０ｋｇ／ｍ３、より好ましくは、７０〜１１０ｋｇ／ｍ３である。伸び率は、２５０％以上あることが好ましい。
【００２０】
目隠し部材３，３は、本体２に直接貼り付けてもよいが、図３に示すように、本体２に目隠し配置部材６Ａ，６Ｂを設置し、その上に直方体の目隠し部材３，３を配置した方が、目隠し部材３，３が本体２からずれることがなく、安定性を有するため好ましい。なお、目隠し配置部材６Ａ，６Ｂは、図３の上面図からわかるように、断面がコの字状かあるいは、Ｈ状であることが好ましい。
【００２１】
間仕切り部材１は、前記本体２の下部には、上下方向に伸縮可能な伸縮部５を備えている。伸縮部５は、スライドできるスカート４をスライドさせることにより、露出される。伸縮部５は、ネジ受け５１、ネジ５２、ナット５３、床配置部５４から構成されており、ネジ５２と、床配置部材５４とは接続されている。ネジ５２とナット５３とを調節することにより、本体２から突出しているネジ５２の長さを調整することにより、間仕切り部材１の全体の長さを調整することができる。
【００２２】
具体的には、図４Ａ乃至図４Ｃのように、スカート４をスライドさせ、伸縮部５を露出させた状態で、弾力性のある目隠し部材３，３を本体２から一部はずし（図４Ａ）、ネジ５２（及び床配置部材５４）、ナット５３を回して、本体から突出しているネジ５２の長さを調節し、ナット５３をしめて、ネジ５２が動かないようし（図４Ｂ）、最後にスカート４をスライドさせ戻し、目隠し部材３，３をもとに戻す（図４Ｃ）。このようにすることで間仕切部材１の長手方向の長さを変えることが可能となる。
【００２３】
その後、間仕切り部材１の伸縮部５を覆うスカート４を本体２に沿って、移動させて、ネジ５２、ナット５３を隠す。
【００２４】
さらに、図５に示すように、間仕切り部材１は、上部にＬ字型支持体７を備えることができる。Ｌ字型支持体７は、Ｌ字の折れ曲がった部分で、窓枠上部（あるいは壁の下部）にあてて、間仕切り部材１を支え、地震などによって住宅が横揺れしても、間仕切り部材１が倒れないように支えるものである。なお、Ｌ字型支持体は、折れ曲がっている部分は、本体２に対して幅が広い構造であり、しっかりと、窓枠に配置することができるようになっている。Ｌ字型支持部７は、挿入部分を有し、本体２の中空に挿入することができ、本体２との取り外しが容易である。なお、図５は、スカート４を降ろした状態である。
【００２５】
以下、本実施例の効果について説明する。
［効果］
［１］  窓と、間仕切り壁との隙間を塞ぐための間仕切り部材であって、直方体の本体と、前記本体の少なくとも１つの側面に配置されたスポンンジ状ゴムからなる目隠し部材と、前記本体の下部に配置されている上下方向に伸縮可能な伸縮部とを備える、間仕切り部材は、窓と間仕切り壁との間の隙間を防ぐため、目隠し効果があるだけでなく、遮音性にも優れている。また、目隠し部材としてスポンジ状ゴムを採用することにより、窓がたわむようなことがあっても、窓を傷つけることがなく、軽量であるため、持ち運びも容易で再設置しやすいなどといった利点がある。
［２］  目隠し部材がスポンジ状エチレンプロピレンゴムである場合は、耐候性、物理的強度及び化学的強度のバランスが優れており、弾力性に優れ、気密性、保温性も他の素材に比べて良好である。
［３］  前記伸縮部が、ネジ式で上下に可動するように構成されている場合は、様々な部屋な構造に適用することができる。
［４］  前記本体の上部に本体を支えるためのＬ字型支持部を備えている場合は、しっかりと間仕切り部材を固定することができ、横方向の揺れに強い。
【符号の説明】
【００２６】
１  間仕切り部材
２  本体
３  目隠し部材
４  スカート
５  伸縮部材
５１  ネジ受け
５２  ネジ
５３  ナット
５４  床配置部材
６Ａ，６Ｂ  目隠し配置部材
７  Ｌ字型支持部
Ｇ  窓ガラス
Ｗ  間仕切り壁
【図１】
2017075462.tif 000003
【図２】
2017075462.tif 000004
【図３】
2017075462.tif 000005
【図４Ａ】
2017075462.tif 000006
【図４Ｂ】
2017075462.tif 000007
【図４Ｃ】
2017075462.tif 000008
【図５】
2017075462.tif 000009
【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
窓と、間仕切り壁との隙間を塞ぐための間仕切り部材であって、
直方体の本体と、
前記本体の少なくとも１つの側面に配置されたスポンジ状ゴムからなる目隠し部材と、
前記本体の下部に配置されている上下方向に伸縮可能な伸縮部とを備え、
前記本体の上部に、前記本体を支えるためのＬ字型支持部をさらに備える、間仕切り部材。
【請求項２】
目隠し部材がスポンジ状エチレンプロピレンゴムである、請求項１に記載の間仕切り部材。
【請求項３】
前記伸縮部が、ネジ式で上下に可動し、前記間仕切り部材の長手方向の長さを変えることができるような構成になっている、請求項１又は２に記載の間仕切り部材。